(57)【要約】【課題】打感に優れしかも耐磨耗性にも優れたゴルフクラブヘッドを提供する。【解決手段】アイアン型ゴルフクラブヘッド１は、平面状のフェース面２ｆを有したフェース部２と、該フェース部２のヒール側に連なるホゼル部３とを有し、該ホゼル部３にはシャフト挿入穴４が設けられている。トウ・ヒール方向の中央付近において後方に突出する凸部５が設けられている。ゴルフクラブヘッド１の素材は、純度９９．９９５％以上例えば９９．９９５〜９９．９９９９％の高純度の純鉄である。表面から約０．２〜０．５ｍｍ程度の範囲にまで炭素が拡散するように浸炭処理されている。【選択図】図１
2005312619.tif 000002
【特許請求の範囲】
【請求項１】
少なくともフェース面が浸炭処理された鉄素材よりなるゴルフクラブヘッドにおいて、該鉄素材が純鉄よりなることを特徴とするゴルフクラブヘッド。
【請求項２】
請求項１において、該純鉄の純度が９９．８％以上であることを特徴とするゴルフクラブヘッド。
【請求項３】
請求項１又は２において、アイアン型ゴルフクラブヘッドであることを特徴とするゴルフクラブヘッド。
【請求項４】
請求項３において、ロフト角が２５°以上のアイアンのゴルフクラブヘッドであることを特徴とするゴルフクラブヘッド。
【請求項５】
請求項３又は４において、フェース部の重心位置付近の厚さが３．５〜１５ｍｍであることを特徴とするゴルフクラブヘッド。
【請求項６】
請求項５において、フェース部の重心位置付近よりもトウ側及びヒール側における厚さがそれぞれ重心位置付近の厚さよりも小さいことを特徴とするゴルフクラブヘッド。
【請求項７】
請求項１ないし６のいずれか１項において、フェース面の硬度がＨＶ１８０〜９００であることを特徴とするゴルフクラブヘッド。
【発明の詳細な説明】
【技術分野】
【０００１】
本発明はゴルフクラブのヘッドに関するものであり、特に少なくともフェース部が鉄素材よりなるゴルフクラブヘッドに関するものである。詳しくは、本発明は、アイアンに適用するのに好適なゴルフクラブヘッドに関する。
【背景技術】
【０００２】
アイアンゴルフクラブヘッドの素材としては、軟鉄、ステンレス、銅合金などが用いられている。また、近年では、アイアンゴルフクラブヘッドの周縁部をステンレス製とし、チタン合金製のフェースプレートを固着した複合型のアイアンゴルフクラブヘッドも普及してきている。なお、以下、アイアンゴルフクラブヘッドを単にアイアンヘッドということがある。
【０００３】
特開昭６３−２２９０７８号公報には、純度が９９．９３〜９９．９７％の純鉄よりなるアイアンヘッドが記載されている。同号公報第３頁左上欄第１行〜第８行には、純鉄は伸び率、絞り率が大きく展延性に優れるため、この純鉄製アイアンヘッドは、ショット時におけるゴルフボールとフェースとの接触面積が拡大されると共に接触時間が延長され、打球の方向安定性が向上すると記載されている。
【０００４】
特開平８−２０６２６０号公報には、軟鉄素材よりなるアイアンヘッドにおいて浸炭又は窒化処理して表面硬化層を形成することが記載されている。
【０００５】
特開平１０−５３７６号公報の第０００８〜００１７段落には、構造用合金鋼、ステンレス鋼、チタン又はチタン合金鋼よりなるアイアンヘッドをプラズマ浸炭又はガス浸炭処理して表面硬度を高くし、打球の飛距離を増大させることが記載されている。
【特許文献１】特開昭６３−２２９０７８号公報
【特許文献２】特開平８−２０６２６０号公報
【特許文献３】特開平１０−５３７６号公報
【発明の開示】
【発明が解決しようとする課題】
【０００６】
純鉄製のアイアンヘッドは、ステンレス製アイアンヘッドに比べて素材硬度が低く、打感が柔らかい。しかしながら、耐磨耗性が低いために、表面に傷が付き易いと共に、スコアライン（フェース面の横溝）の角縁が早期に丸みを帯びてしまい、打球にスピンがかかりにくくなる。
【０００７】
上記特開平８−２０６２６０号公報及び特開平１０−５３７６号公報には、軟鉄素材や合金鋼よりなるアイアンヘッドを浸炭処理して表面硬度を高くすることが記載されているが、純鉄素材よりなるアイアンヘッドに浸炭処理を施すことについては記載されていない。
【０００８】
本発明は、打感に優れしかも耐磨耗性にも優れたゴルフクラブヘッドを提供することを目的とする。
【課題を解決するための手段】
【０００９】
本発明（請求項１）のゴルフクラブヘッドは、少なくともフェース面が浸炭処理された鉄素材よりなるゴルフクラブヘッドにおいて、該鉄素材が純鉄よりなることを特徴とするものである。
【００１０】
請求項２のゴルフクラブヘッドは、請求項１において、該純鉄の純度が９９．８％以上であることを特徴とするものである。
【００１１】
請求項３のゴルフクラブヘッドは、請求項１又は２において、アイアン型ゴルフクラブヘッドであることを特徴とするものである。
【００１２】
請求項４のゴルフクラブヘッドは、請求項３において、ロフト角が２５°以上のアイアンのゴルフクラブヘッドであることを特徴とするものである。
【００１３】
請求項５のゴルフクラブヘッドは、請求項３又は４において、フェース部の重心位置付近の厚さが３．５〜１５ｍｍであることを特徴とするものである。
【００１４】
請求項６のゴルフクラブヘッドは、請求項５において、フェース部の重心位置付近よりもトウ側及びヒール側における厚さがそれぞれ重心位置付近の厚さよりも小さいことを特徴とするものである。
【００１５】
請求項７のゴルフクラブヘッドは、請求項１ないし６のいずれか１項において、フェース部の表面硬度がＨＶ１８０〜９００であることを特徴とするものである。
【００１６】
特にアイアンヘッドとして傷つきにくいとされるステンレス鋼（ＳＵＳ６３０）の表面硬度がＨＶ３００程度であるので、ＨＶ３００以上が好ましい。
【発明の効果】
【００１７】
本発明のゴルフクラブヘッドは、素材が純鉄であるため、打感が柔らかく、特に柔らかなタッチが好まれるロフト角２５°以上のアイアンとりわけロフト角４０°以上６５°以下のウェッジのヘッドに好適である。
【００１８】
本発明では、鉄素材の純度を９９．８％以上とすると打感が柔らかくなり、炭素含有量を０．０２％以下とすることが好ましい。９９．９９５％以上の高純度とすることにより、打感が極めて柔らかいものとなると共に、不銹性も向上するので、好適である。
【００１９】
本発明では、この純鉄素材のヘッド表面に浸炭処理を施しているため、耐磨耗性も良好である。
【００２０】
本発明は、上記の通りアイアンヘッドに適用するのに好適であるが、素材が純鉄であるためにフェース部の強度が不足するおそれがある。そこで、フェース部のうちボールが当たる重心位置付近における厚さを３．５〜１５ｍｍと厚くして補強するのが好ましい。また、このようにフェース部の重心位置付近の厚さを大きくした場合、フェース部の重心位置付近にてボールをショットした場合（所謂「芯を食った」場合）の手応え感が極めて良好なものとなる。
【００２１】
なお、アイアンヘッドの重量増大を抑制するために、フェース部の重心位置付近の厚さを大きくし、その他の部分の厚さはそれよりも小さくするのが好適であり、具体的には、フェース部の重心位置付近よりもトウ側及びヒール側の厚さは重心位置付近の厚さに比べて小さいことが好ましい。
【００２２】
本発明では、フェース部の表面硬度がＨＶ１８０〜９００程度となるように浸炭処理することが好ましい。
【発明を実施するための最良の形態】
【００２３】
以下、図面を参照して本発明についてさらに詳細に説明する。図１は本発明の実施の形態に係るゴルフクラブヘッドの後方からの斜視図、図２はそのトウ側からの側面図である。
【００２４】
このアイアン型ゴルフクラブヘッド１は、平面状のフェース面２ｆを有したフェース部２と、該フェース部２のヒール側に連なるホゼル部３とを有し、該ホゼル部３にはシャフト挿入穴４が設けられている。このシャフト挿入穴４にゴルフクラブシャフトの先端が挿入され、接着剤によって固着される。
【００２５】
図示のゴルフクラブヘッド１は、ロフト角が約４５°のウェッジである。このゴルフクラブヘッド１の背面にあっては、トウ・ヒール方向の中央付近において後方に突出する凸部５が設けられている。凸部５以外にあっては、フェース部２の厚みはトウ・ヒール方向において略一定である。
【００２６】
なお、フェース部２の厚さはソール部６側（底部側）が最も大きく、上方ほど徐々に厚さが小さくなっている。
【００２７】
この凸部５は、フェース部２における重心位置付近の後方（ヘッド１をソールした状態における後方）に位置している。
【００２８】
凸部５を設ける範囲は、ヘッド１のトウ・ヒール方向の全長の１０〜９０％特に２０〜８０％程度が好ましい。
【００２９】
凸部５の最下部はソール部６に達していることが望ましい。このようにすることにより、ヘッド１の重心を低くすることができる。また、この実施の形態では図２の通り、凸部５の外面をソール部６に滑らかに連続させている。これにより、凸部５の下部をヘッド１のバウンスとして利用することができる。
【００３０】
このゴルフクラブヘッド１の素材は、純度９９．９９５％以上例えば９９．９９５〜９９．９９９９％の高純度の純鉄である。このヘッド１は、表面から約０．２〜０．５ｍｍ程度の範囲にまで炭素が拡散するように浸炭処理されている。浸炭処理はフェース面２ｆにのみ施されてもよいが、ヘッド全体を浸炭処理してもよい。浸炭処理はガス浸炭処理、プラズマ浸炭処理等のいずれでもよい。
【００３１】
この浸炭処理により、ヘッド１の表面硬度は望ましくはＨＶ１８０〜９００特にＨＶ３００以上、更に好ましくはＨＶ３００〜８００とされる。
【００３２】
このように構成されたゴルフクラブヘッド１は、素材が高純度の純鉄よりなるため、打感が柔らかいと共に、不銹性に優れる。また、浸炭処理されているため耐磨耗性にも優れる。
【００３３】
一般にアイアンヘッドに使用されるＳ２０Ｃ等の軟鉄素材は、浸炭処理により表面が硬化するが、傷等により、浸炭された部分が無くなると錆が発生する。しかし、純度の高い純鉄を使用すると、ヘッド全体を浸炭処理することにより、形状を保つと共に、深く傷ついても、錆が発生しにくくなる。
【００３４】
このゴルフクラブヘッド１では、凸部５を設けているため、フェース部２の強度が高いと共に、芯を食うようにショートしたときの手応え感に極めて優れる。また、重心深度が深く、スイートエリアが広い。
【００３５】
このゴルフクラブヘッド１は、凸部５がソール部６にまで達しているので、重心が低く、ボールが上がり易い。
【００３６】
本発明のゴルフクラブヘッドは、ロフト角が２５°以上のアイアンヘッド特に４０°以上のウェッジに適用するのに好適であるが、鉄素材よりなるフェアウェーウッドやユーティリティクラブのヘッドにも適用できる。
【００３７】
本発明では、ソール部にタングステン等の高比重材を装着してもよい。また、フェース部の内部に空所を設け、ゴム、エラストマー等の振動吸収材を装填してもよい。
【図面の簡単な説明】
【００３８】
【図１】実施の形態に係るアイアン型ゴルフクラブヘッドの後方からの斜視図である。
【図２】実施の形態に係るアイアン型ゴルフクラブヘッドの側面図である。
【符号の説明】
【００３９】
１  ゴルフクラブヘッド
２  フェース部
２ｆ  フェース面
３  ホゼル部
４  シャフト挿入穴
５  凸部
６  ソール部
【図１】
2005312619.tif 000003
【図２】
2005312619.tif 000004